(57)【特許請求の範囲】
【請求項１】
全間隙量が把握された岩石試料に流体を循環流通させ、
流体中の安定したラドン量を測定して前記全間隙量から放出されるラドン量を求め、
求められた前記ラドン量を、前記岩石試料の単位面積当たりに放出される単位ラドン量で除して前記岩石試料の間隙表面積を算出する
ことを特徴とするラドンによる岩石内部の間隙表面積測定方法。
【請求項２】
請求項１に記載のラドンによる岩石内部の間隙表面積測定方法において、
前記岩石試料に循環させる流体は水である
ことを特徴とするラドンによる岩石内部の間隙表面積測定方法。
【請求項３】
請求項１もしくは請求項２に記載のラドンによる岩石内部の間隙表面積測定方法において、
前記岩石試料の単位面積当たりに放出される単位ラドン量は、
前記岩石試料から切り出されて表面が平坦化されて総表面積が把握された単位試料を水に満たし、単位試料を満たした水に含まれるラドン量を前記総面積で除した値の量である
ことを特徴とするラドンによる岩石内部の間隙表面積測定方法。
【請求項４】
全間隙量が把握された岩石試料が流体中に収容される流通容器と、
前記流通容器内の流体を循環させる循環手段と、
前記循環手段により循環された流体中で安定したラドン量を測定するラドン量測定手段と、
前記岩石試料の単位面積当たりのラドン放出量である単位ラドン量を求めるラドンフラックス検出手段と、
前記ラドン量測定手段で測定されたラドン量を前記ラドンフラックス検出手段で求められた単位ラドン量で除すことにより前記岩石試料の間隙表面積を求める表面積導出手段とを備えた
ことを特徴とするラドンによる岩石内部の間隙表面積測定装置。
【請求項５】
請求項４に記載のラドンによる岩石内部の間隙表面積測定装置において、
前記循環手段は、流体として水を流通させる
ことを特徴とするラドンによる岩石内部の間隙表面積測定装置。
【請求項６】
請求項４もしくは請求項５に記載のラドンによる岩石内部の間隙表面積測定装置において、
前記ラドンフラックス検出手段は、
前記岩石試料から切り出されて表面が平坦化されて総表面積が把握された単位試料が水に満たされて収容される気密容器と、
前記気密容器から抽出された水に含まれるラドンの量を検出すると共に検出されたラドン量を前記単位試料の総表面積で除すことで単位面積当たりの単位ラドン量を求めるラドンフラックス算出手段とを備えた
ことを特徴とするラドンによる岩石内部の間隙表面積測定装置。
【発明の詳細な説明】
【技術分野】
【０００１】
本発明は、ラドンを用いて岩石内部の間隙表面積を測定するラドンによる岩石内部の間隙表面積測定方法及びラドンによる岩石内部の間隙表面積測定装置に関する。
【背景技術】
【０００２】
放射性廃棄物を地中に隔離処理する場合、地盤の岩石の表面積（間隙表面積）が大きいほど放射性核種が付着しやすく、放射性核種の生活環境への影響をなくすことができる。また、二酸化炭素（ＣＯ２）を地中貯留する場合、ＣＯ２が溶けた酸性水により岩石に及ぼす影響は、岩石の反応面積により左右される。このため、地盤の岩石の表面積（間隙表面積）を把握することは、放射性廃棄物の地中処分や、ＣＯ２の地中貯留を実施する際に、安定した処分や貯留が行えるか否かを判断する重要な評価項目となっている。
【０００３】
試料を覆った水銀に圧力をかけ、水銀を試料の微細な孔に圧入し、圧力と水銀の変化量に基づいて試料の細孔分布を測定する水銀圧入法が知られている。この水銀圧入法により試料の細孔分布を測定することで、化合物粉体の細孔の状況を検証することが従来から知られている（例えば、特許文献１参照）。水銀圧入法により地盤の岩石の細孔の状況を検証することで、岩石の表面積（間隙表面積）を評価することができる。
【０００４】
また、窒素やヘリウム等のガス分子を試料に吸着させ、試料の小さな孔にガスを吸着させて試料の細孔分布を測定するガス吸着法が知られている（ＰＥＴ法）。このガス吸着法を用い、粉にした岩石にガスを吸着させ、吸着したガスの量に基づいて岩石の表面積（間隙表面積）を評価することが考えられる。
【０００５】
水銀圧入法により地盤の岩石の表面積（間隙表面積）を評価する場合、岩石片に水銀を圧入することになるが、水銀は球体として擬似的に孔に圧入されるため、岩石の流動間隙の全てには圧入されず、実際の流動空間に対応した表面積（間隙表面積）を評価することはできない。また、ガス吸着法を用いて岩石の表面積（間隙表面積）を評価する場合、岩石を粉にするため、岩石の流動間隙を推定する手法としてふさわしいとはいえない。
【０００６】
一方、岩石中には微量のウランが含まれ、岩石からは壊変生成物としてのラドンが放出されている。ラドンは約３．８日の半減期で放射線を出して鉛に至る元素である。岩石には間隙があり、ラドンは岩石の流動間隙の表面から放出される。このため、ラドンの放出量を測定することで、岩石の流動間隙の表面積を評価することができると考えられる。
【先行技術文献】
【特許文献】
【０００７】
【特許文献１】特開２００９−２８９７５８号公報
【発明の概要】
【発明が解決しようとする課題】
【０００８】
本発明は上記状況に鑑みてなされたもので、ラドンを用いて岩石の流動間隙を評価することで岩石内部の間隙表面積を測定することができるラドンによる岩石内部の間隙表面積測定方法を提供することを目的とする。
【０００９】
また、本発明は上記状況に鑑みてなされたもので、ラドンを用いて岩石の流動間隙を評価することで岩石内部の間隙表面積を測定することができるラドンによる岩石内部の間隙表面積測定装置を提供することを目的とする。
【課題を解決するための手段】
【００１０】
上記目的を達成するための請求項１に係る本発明のラドンによる岩石内部の間隙表面積測定方法は、全間隙量が把握された前記岩石試料に流体を循環流通させ、流体中の安定したラドン量を測定して前記全間隙量から放出されるラドン量を求め、求められた前記ラドン量を、前記岩石試料の単位面積当たりに放出される単位ラドン量で除して前記岩石試料の間隙表面積を算出することを特徴とする。
【００１１】
請求項１に係る本発明では、岩石試料を循環流通させた流体に含まれるラドン量を岩石試料の全間隙量から放出されたラドンの量とし、ラドン量を、岩石の固体別の単位面積当たりに放出される単位ラドン量で除すことで、全間隙量の表面積（間隙表面積）を求めるので、岩石の流動間隙に対応した表面積（間隙表面積）を評価して岩石内部の間隙表面積を測定することができる。ラドンは約３．８日の半減期であるため、流体中の安定したラドン量を測定する際に、放出されたラドンと壊変したラドンとの放射平衡状態を得るため、流体を約１箇月循環させることが好ましい。
【００１２】
岩石試料の全間隙量は、流体が流動可能な間隙の表面積に囲まれた範囲の体積であり、全間隙量の把握は、例えば、岩石試料を水に漬けて飽和状態とし、飽和状態の岩石試料の重量から乾燥状態の岩石試料の重量を減じて求められる。
【００１３】
そして、請求項２に係る本発明のラドンによる岩石内部の間隙表面積測定方法は、請求項１に記載のラドンによる岩石内部の間隙表面積測定方法において、前記岩石試料に循環させる流体は水であることを特徴とする。
【００１４】
請求項２に係る本発明では、流体として水を循環させるので、流体からのラドンの透過を抑制することができ、岩石の流動間隙に対応した表面積（間隙表面積）を的確に評価することができる。
【００１５】
また、請求項３に係る本発明のラドンによる岩石内部の間隙表面積測定方法は、請求項１もしくは請求項２に記載のラドンによる岩石内部の間隙表面積測定方法において、前記岩石試料の単位面積当たりに放出される単位ラドン量は、前記岩石試料から切り出されて表面が平坦化されて総表面積が把握された単位試料を水に満たし、単位試料を満たした水に含まれるラドン量を前記総面積で除した値の量であることを特徴とする。
【００１６】
請求項３に係る本発明では、岩石試料固有の単位面積当たりに放出されるラドン量を簡単に求めることができる。
【００１７】
上記目的を達成するための請求項４に係る本発明のラドンによる岩石内部の間隙表面積測定装置は、全間隙量が把握された岩石試料が流体中に収容される流通容器と、前記流通容器内の流体を循環させる循環手段と、前記循環手段により循環された流体中で安定したラドン量を測定するラドン量測定手段と、前記岩石試料の単位面積当たりのラドン放出量である単位ラドン量を求めるラドンフラックス検出手段と、前記ラドン量測定手段で測定されたラドン量を前記ラドンフラックス検出手段で求められた単位ラドン量で除すことにより前記岩石試料の間隙表面積を求める表面積導出手段とを備えたことを特徴とする。
【００１８】
請求項４に係る本発明では、全間隙量が把握された岩石試料に循環手段により流体を流通させ、流通させた流体に含まれるラドン量をラドン量測定手段で測定し、測定されたラドン量を岩石試料の全間隙量から放出されたラドンの量とし、表面積導出手段により、ラドン量を、岩石の固体別の単位面積当たりに放出される単位ラドン量で除すことで、全間隙量の表面積（間隙表面積）を求める。このため、岩石の流動間隙に対応した表面積（間隙表面積）を評価して岩石内部の間隙表面積を測定することができる。ラドンは約３．８日の半減期であるため、流体中の安定したラドン量を測定する際に、放出されたラドンと壊変したラドンとの放射平衡状態を得るため、循環手段により流体を約１箇月間循環させることが好ましい。
【００１９】
全間隙量の把握は、岩石試料の乾燥重量及び流体飽和重量に基づいて全間隙量導出手段により求められる。
【００２０】
そして、請求項５に係る本発明のラドンによる岩石内部の間隙表面積測定装置は、請求項４に記載のラドンによる岩石内部の間隙表面積測定装置において、前記循環手段は、流体として水を流通させることを特徴とする。
【００２１】
請求項５に係る本発明では、循環手段は流体として水を循環させるので、流体からのラドンの透過を抑制することができ、岩石の流動間隙に対応した表面積（間隙表面積）を的確に評価することができる。
【００２２】
また、請求項６に係る本発明のラドンによる岩石内部の間隙表面積測定装置は、請求項４もしくは請求項５に記載のラドンによる岩石内部の間隙表面積測定装置において、前記ラドンフラックス検出手段は、前記岩石試料から切り出されて表面が平坦化されて総表面積が把握された単位試料が水に満たされて収容される気密容器と、前記気密容器から抽出された水に含まれるラドンの量を検出すると共に検出されたラドン量を前記単位試料の総表面積で除すことで単位面積当たりの単位ラドン量を求めるラドンフラックス算出手段とを備えたことを特徴とする。
【００２３】
請求項６に係る本発明では、水に満たされた気密容器に単位試料を収容して単位面当たりのラドンの放出量を求めるので、岩石試料固有の単位面積当たりに放出されるラドン量を簡単に求めることができる。
【発明の効果】
【００２４】
本発明のラドンによる岩石内部の間隙表面積測定方法は、ラドンを用いて岩石の流動間隙を評価することで岩石内部の間隙表面積を測定することが可能になる。
【００２５】
また、本発明のラドンによる岩石内部の間隙表面積測定装置は、ラドンを用いて岩石の流動間隙を評価することで岩石内部の間隙表面積を測定することが可能になる。
【図面の簡単な説明】
【００２６】
【図１】本発明の一実施形態例に係るラドンによる岩石内部の間隙表面積測定装置の全体構成図である。
【図２】ラドンフラックス検出手段の概念図である。
【図３】本発明の一実施形態例に係るラドンによる岩石内部の間隙表面積測定方法を説明する全体処理図である。
【発明を実施するための形態】
【００２７】
図１には本発明の一実施形態例に係るラドンによる岩石内部の間隙表面積測定装置の全体概念構成、図２にはラドンフラックス検出手段の概念を示してある。また、図３には本発明の一実施形態例に係るラドンによる岩石内部の間隙表面積測定方法の処理を経時的に説明する処理フローを示してある。
【００２８】
図１、図２に基づいてラドンによる岩石内部の間隙表面積測定装置を説明する。
【００２９】
図１に示すように、岩石試料１を収容する流通容器２が備えられ、流通容器２には循環路３が接続されている。流通容器２に収容される岩石試料１は、乾燥重量（ＷＤ）及び水に漬けられて間隙に水が飽和している状態の重量（飽和重量：ＷＳ）が予め測定されている。循環路３には循環手段としてのポンプ（例えば、モーノポンプ）４が設けられ、ポンプ４の駆動により流通容器２内の水が循環路３を介して循環される。
【００３０】
岩石試料１が収容された流通容器２内の水を循環させることにより、岩石試料１から循環水にラドンが放出され、ラドンを含有した状態の循環水となる。ラドンは約３．８日の半減期であるため、水に含まれる安定したラドン量を測定する際に、放出されたラドンと壊変したラドンとの放射平衡状態を得るため、ポンプ４により水が約１箇月の間循環される。
【００３１】
流通容器２の下流側の循環路３には弁部材５を介してラドン量測定手段１１が接続され、約１箇月の間循環された循環水がラドン量測定手段１１に送られてラドン量が測定された後に排水される。
【００３２】
岩石試料１の全隙間量（ＰＶ）を算出する全間隙量導出手段１２が備えられている。全間隙量導出手段１２では岩石試料１の全間隙量（流体が流動可能な間隙の表面積に囲まれた範囲の体積）が導出される。全間隙量導出手段１２には、予め測定された岩石試料１の乾燥重量（ＷＤ）及び飽和重量（ＷＳ）が入力される。全間隙量導出手段１２では、飽和重量（ＷＳ）から乾燥重量（ＷＤ）を減じることで岩石試料１の全間隙量（ＰＶ）が算出される（ＰＶ＝ＷＳ−ＷＤ）。
【００３３】
尚、岩石試料１の全間隙量（ＰＶ）を全間隙量導出手段１２でＰＶ＝ＷＳ−ＷＤにより算出する例を説明してあるが、岩石試料１の全間隙量が他の手法により予め把握されていた場合、全間隙量導出手段１２を省略することも可能である。
【００３４】
全間隙量導出手段１２で算出された岩石試料１の全間隙量（ＰＶ）は、ラドン量測定手段１１に送られ、ラドン量測定手段１１では全間隙量（ＰＶ）に対するラドン量、即ち、約１箇月間循環されてラドン量が安定した状態の循環水に含まれるラドンの量（岩石試料１を通水した後のラドン量：Ｒｎｐ）が測定される。ラドン量測定手段１１で測定されたラドン量（Ｒｎｐ）の情報は表面積導出手段１３に送られる。
【００３５】
一方、岩石試料１の単位面積当たりのラドン放出量である単位ラドン量（ラドンフラックス：ＲｎＦ）を求めるラドンフラックス検出手段１４が備えられ、ラドンフラックス検出手段１４では、岩石試料１と同じ岩石の単位面積を通過するラドン量、即ち、岩石試料１のラドンフラックス（ＲｎＦ）が求められる。
【００３６】
図２に基づいてラドンフラックス検出手段１４の概要を説明する。
【００３７】
図に示すように、岩石試料１（図１参照）から切り出されて表面が平坦化され、表面積（ＳＲ）が把握された状態の単位試料２１を有している。単位試料２１は水が満たされた気密容器２２に収容され、所定期間（例えば、１箇月）浸漬される。気密容器２２に単位試料２１が所定期間浸漬されることにより、単位試料２１の表面を通過する（放出される）ラドンが安定した状態で気密容器２２の内部の水に含まれた状態になる。
【００３８】
所定期間経過した気密容器２２の内部の水は抽出され、ラドンフラックス算出手段２３により浸漬水中のラドンが分析されてラドン量（ＲｎＲ）が測定される。ラドンフラックス算出手段２３には単位試料２１の表面積（ＳＲ）の情報の他、物理特性、体積等の個体情報が入力され、単位試料２１の表面から放出されるラドンの量、即ち、単位試料２１の表面を通過する単位ラドン量（ラドンフラックス：ＲｎＦ）が算出される。つまり、浸漬水中のラドン量（ＲｎＲ）を単位試料２１の表面積（ＳＲ）で除すことにより、ラドンフラックス（ＲｎＦ）が算出される（ＲｎＦ＝ＲｎＲ/ＳＲ）。
【００３９】
上述したラドンフラックス検出手段１４では、水に満たされた気密容器２２に単位試料２１を収容して単位面積当たりのラドンの放出量を求めるので、岩石試料１固有の単位面積当たりに放出されるラドン量（ラドンフラックス：ＲｎＦ）を簡単に求めることができる。
【００４０】
図１に戻り、表面積導出手段１３では、岩石試料１を通水した後のラドン量（Ｒｎｐ）と岩石試料１のラドンフラックス（ＲｎＦ）に基づいて、岩石試料１の全間隙量（ＰＶ）の表面積である間隙表面積（ＳＦ）が算出される。即ち、岩石試料１を通水した後のラドン量（Ｒｎｐ）を岩石試料１のラドンフラックス（ＲｎＦ）で除すことにより間隙表面積（ＳＦ）が算出される（ＳＦ＝Ｒｎｐ/ＲｎＦ）。
【００４１】
図３に基づいて上述した間隙表面積測定装置による間隙表面積測定方法を経時的に説明する。
【００４２】
ステップＳ１で岩石試料１の乾燥重量（ＷＤ）が測定され、ステップＳ２で岩石試料１の飽和重量（ＷＳ）が測定される。測定された飽和重量（ＷＳ）から乾燥重量（ＷＤ）を減じてステップＳ３で岩石試料１の全間隙量（ＰＶ）が算出され、ステップＳ４で通水を１箇月実施する。尚、実施例では岩石試料１に通水を実施して水にラドンを放出させるようにしているが、岩石試料１に通気を実施して気体（空気）にラドンを放出させることも可能である。
【００４３】
ステップＳ４で通水を１箇月実施した後、ステップＳ５で通水後のラドン量（Ｒｎｐ）が測定される。つまり、約１箇月間通水が実施されてラドン量が安定した状態の循環水に含まれるラドンの量が測定され、岩石試料１の間隙の全てから放出されるラドン量が測定される。
【００４４】
一方、ステップＳ６では、岩石試料１と同一の岩石が直方体に整形されて単位試料２１とされ、ステップＳ７で単位試料２１の表面積（ＳＲ）が測定される。ステップＳ８で気密容器２２に単位試料２１が１箇月間浸漬され、ステップＳ９で浸漬水中のラドンが分析されてラドン量（ＲｎＲ）が測定される。ステップＳ９でラドン量（ＲｎＲ）が測定された後、ステップＳ１０で単位試料２１の表面から放出されるラドンフラックス（ＲｎＦ）が算出される。
【００４５】
そして、ステップＳ５で測定されたラドン量（Ｒｎｐ）をステップＳ１０で算出されたラドンフラックス（ＲｎＦ）で除す処理をステップＳ１１で行い、ラドン量（Ｒｎｐ）に応じた（全間隙量（ＰＶ）応じた）面積、即ち、岩石試料１の全間隙表面の面積である間隙表面積（ＳＦ）がステップＳ１１で算出される。
【００４６】
従って、上述したラドンによる岩石内部の間隙表面積測定装置及び方法は、全間隙量導出手段１２により岩石試料１の全間隙量（ＰＶ）を求め、ポンプ４により水を岩石試料１に循環流通させ、水に含まれるラドン量を、ラドン量測定手段１１で測定することにより岩石試料１の全間隙量（ＰＶ）から放出されたラドン量（Ｒｎｐ）としている。そして、表面積導出手段１３により、ラドン量（Ｒｎｐ）を、岩石の個体別の単位面積当たりに放出される単位ラドン量（ラドンフラックス：ＲｎＦ）で除すことで、全間隙量の表面積（間隙表面積：ＳＦ）を求めている。
【００４７】
このため、岩石に通水された水に含まれるラドン量（Ｒｎｐ）に基づいて間隙表面積（ＳＦ）を求めることができ、実際の流動間隙に対応した表面積を評価して岩石内部の間隙表面積（ＳＦ）を測定することが可能になる。
【００４８】
また、循環手段としてポンプ４により水を循環させているので、水からのラドンの透過を抑制することができ、岩石の流動間隙に対応した間隙表面積（ＳＦ）を的確に評価することができる。
【産業上の利用可能性】
【００４９】
本発明は、ラドンを用いて岩石の流動間隙を評価することで岩石内部の間隙表面積を測定するラドンによる岩石内部の間隙表面積測定装置の産業分野で利用することができる。
【００５０】
また本発明は、ラドンを用いて岩石の流動間隙を評価することで岩石内部の間隙表面積を測定するラドンによる岩石内部の間隙表面積測定方法の産業分野で利用することができる。
【符号の説明】
【００５１】
１  岩石試料
２  流通容器
３  循環路
４  ポンプ（モーノポンプ）
５  弁部材
１１  ラドン量測定手段
１２  全間隙量導出手段
１３  表面積導出手段
１４、２３  ラドンフラックス検出手段
２１  単位試料
２２  気密容器
【図１】
0005413974.tif 000002
【図２】
0005413974.tif 000003
【図３】
0005413974.tif 000004